(57)【要約】音量大で音質良好なオルゴールである。オルゴール機構部Ｒが発生する音響を伝達する響板１０２と、この響板を支える三本の支柱１０５、底板１０４、さらには側板１０３、補完木片１１４で筐体１０１を構成する。機構部Ｒのベースフレーム１０７と響板１０２の間にスペーサ１０６を介在させ、底板１０４の下面に脚部１１０を配設してネジ体１０８，１１１で一体に支柱１０５に固定する。スペーサ１０６および脚部１１０がそれぞれ構成する空間が音響伝達に効果的に機能する。
2002058048.tif 000002
【特許請求の範囲】
【請求項１】
複数の側板と、この側板の上端近傍に取付けられる響板と、前記側板の下端近傍に取付けられる底板と、前記響板と前記底板との間に挟装された少なくとも三本の支柱とで筐体を構成し、この筐体の前記響板上に発音体ベースフレームを載置し、適当な高さのスペーサを介して少なくとも三か所を結合部材によって前記響板と一体に前記支柱に固定したことを特徴とするオルゴール。
【請求項２】
前記底板下面には、前記支柱の延在部分相当位置に適当な高さと底面積を備えた脚部を配設し、前記底板を貫通する結合部材によって前記支柱に前記底板と共に一体に固定したことを特徴とする請求の範囲第１項記載のオルゴール。
【請求項３】
前記発音体がシリンダ型オルゴールの機構部分であることを特徴とする請求の範囲第１項または第２項に記載のオルゴール。
【請求項４】
前記発音体がディスク型オルゴールの機構部分であることを特徴とする請求の範囲第１項または第２項に記載のオルゴール。
【請求項５】
前記筐体および脚部を目の詰まった木材で構成したことを特徴とする請求の範囲第１項または第２項に記載のオルゴール。
【請求項６】
前記響板に音響効果の良い材質を使用したことを特徴とする請求の範囲第１項に記載のオルゴール。
【請求項７】
前記支柱は前記響板に内部応力を付与する部材として機能するように構成したことを特徴とする請求の範囲第１項に記載のオルゴール。
【請求項８】
前記結合部材には頭付ネジ体を使用し、前記発音体ベースフレームの前記結合部材による固定位置を前記支柱の位置と一致させ、前記ネジ体を前記支柱に螺入して、このネジ体の頭部と前記支柱との間に前記発音体ベースフレーム、前記スペーサおよび前記響板を一体に挟持して固定したことを特徴とする請求の範囲第１項に記載のオルゴール。
【発明の詳細な説明】
技術分野
本発明はオルゴールに係わり、特にオルゴールの音響拡大と音質向上のための装置の構造に関する。
背景技術
オルゴールの機構は公知で、ディスク型とシリンダ型とに大別されるが、いずれも一般的には木箱の中に収納され、オルゴールの振動弁自体が発生する音響は小さく、発音機構が内設された木箱から伝播される音は、オルゴールのもつ繊細な音色を十分に響かせることはできない。そこで、実用新案登録第３０６８２２５号に開示されたオルゴール箱によれば、箱体１とオルゴール音に共振する共振板６とオルゴール５とで構成され、共振板６と箱体１で共鳴空間７を形成し、かつ共鳴空間７の底板８の一部にオルゴール音を外部に放射する開口９を設け、オルゴール音を箱体１と共振板６、開口９で音量を拡大する構造のオルゴール箱が考案されている。
しかしながら、オルゴール５の振動を共振板６に伝達して、共振板６の振動で共鳴空間７内部の空気を振動させ、その空気振動を開口９から放射する方式では、中低音域の音量を得るのに共振板６のサイズを大きくする必要がある。また、オルゴール５および共振板６の振動が、箱体１あるいは底板８に伝わりにくく、その結果、振動はその箱体１が置かれている台（例えば机）には減衰して伝達されるため、振動エネルギーの伝達効率はよくない。
そこで本発明の目的は、オルゴールが演奏する楽音を低音から高音にいたるより広い周波数に共鳴させ効率よく拡声して伝達することである。
発明の開示
上記の目的を達成するために、本発明に係わるオルゴールは、複数の側板と、この側板の上端近傍に取付けられる響板と、前記側板の下端近傍に取付けられる底板と、前記響板と前記底板との間に挟装された少なくとも三本の支柱とで筐体を構成し、この筐体の前記響板上に発音体ベースフレームを載置し、適当な高さのスペーサを介して少なくとも三か所を結合部材によって前記響板と一体に前記支柱に固定した。さらに、前記底板下面には、前記支柱の延在部分相当位置に適当な高さと底面積を備えた脚部を配設し、前記底板を貫通する結合部材によって前記支柱に前記底板と共に固定した。
このように、オルゴールと響板との間にスペーサを入れ、さらに響板と支柱を結合部材で一体に固定することにより、発音体の振動を確実に響板および支柱に伝達させることができる。そして、発音体と響板との間のスペーサにより、隙間が確保されているため、発音体ベースフレームの振動が響板の接触圧力（応力）が強くなり、一層振動効率を高めることができる。
さらに、底板に脚部を配設し、支柱に結合部材で一体に固定することにより、響板の振動が底板に伝達されるだけでなく、底板自体の振動も阻害されないので、脚部を通して筐体を載置した台（例えば机）に振動が確実かつ効率良く伝達される。
前記発音体は、シリンダ型オルゴールの機構部分であってもディスク型オルゴールの機構部分であってもよい。そして前記筐体は目の詰まった木材で構成する。さらに好適には前記響板に音響効果の良い材質、例えば、スプルス材等が使用される。また、前記支柱は、前記響板に内部応力を付与する部材として機能する。
そして、前記結合部材に頭付ネジ体を使用し、前記発音体ベースフレームの前記結合部材による固定位置を前記支柱の位置と一致させ、前記ネジ体を前記支柱に螺入して、このネジ体の頭部と前記支柱との間に前記発音体ベースフレーム、前記スペーサおよび前記響板を一体に挟持して固定した。
発明を実施するための最良の形態
以下に、本発明に係わるオルゴールの実施の形態を図面に基づいて説明する。図１は本発明に係わるオルゴールの第一実施例で、シリンダ型オルゴールの機構部分Ｒを載置したオルゴール１００を示す。図１（ａ）は平面図で、図１（ｂ）は（ａ）のＢ−Ｂ線に沿って示した側面図、図１（ｃ）は図１（ａ）のＣ−Ｃ線に沿って示した側面図である。
図２〜図４はディスク型オルゴールの機構部分Ｄを載置した第二〜第四実施例のオルゴール２００〜４００を示す。図中、ディスク型オルゴールはディスクを取外した状態での機構部分のみが図示してある。当然、第二〜第四実施例の構成で、ディスク型オルゴールの機構部分Ｄに代えてシリンダ型オルゴールの機構部分Ｒを載置することは可能である。
シリンダ型オルゴールの機構部分Ｒおよびディスク型オルゴールの機構部分Ｄの機能および作用については公知であるので、説明を省略する。図１において、筐体１０１は、上方の水平な響板１０２と、四方を囲む四枚の側板１０３と、下方の底板１０４から構成される。筐体１０１を構成する各部材としては、良い音を響かせるために楽器に使用されるような目の詰まった木材が好適で、特に響板１０２には音響効果の良い材質、例えば、スプルス材等を使用する。また外面を塗装する場合には塗料として、セラニックスが選択される。
響板１０２の四方の縁部は、側板１０３内面の上端近傍に沿って延在する溝に嵌合させることによって支持される。図示の響板は、均一の厚さで図示されているが、音響効果の点で、響板１０２の下面において縁部から中央に向かって厚みを増大させてもよい。四枚の側板１０３の接合は、例えば組継ぎのような手法を適用し、釘や接着剤などを用いない。
響板１０２の下面には、三本の支柱１０５を同一直線上に揃わないようにして離間した位置に固定し、これらの支柱１０５も筐体１０１の一部を構成する。すなわち、オルゴール機構部分Ｒのベースフレーム１０７および響板１０２の三か所それぞれに頭付ネジ体１０８、例えばボルトまたは木ネジを貫通させて支柱１０５に臨ませ、ベースフレーム１０７と響板１０２との間に介在させたスペーサ１０６と共に、ネジ体頭部１０９と支柱１０５との間でこれら三者を挟持する態様で一体に締結して固定する。
底板１０４は、側板１０３の下端部に頭付ネジ体、例えばボルトまたは木ネジ（図示しない）によって結合される。さらに、底板１０４の下面には、支柱１０５の延在部分相当位置に、適当な高さと底面積を備えた脚部１１０を配設し、この脚部１１０と底板１０４を上方に向けて貫通する頭付ネジ体１１１、例えばボルトまたは木ネジを延在させ、支柱１０５に螺合し、脚部１１０と底板１０４とを支柱１０５とネジ体頭部１１２との間で一体に結合して固定する。脚部１１０下面には、ネジ体１１１の頭部１１２を埋入するザグリ孔１１３が設けられる。
側板１０３と底板１０４の締結には、細長い補完木片１１４が使用される。補完木片１１４は、四枚の側板１０３により形成された枠組みの内側に図示しないネジ体によって固着され、側板１０３の一部となる。補完木片１１４の上端は、響板１０２の下面に当接する位置、すなわち、側板１０３の溝の下側の面と同一平面に位置付けることができる。
補完木片１１４の下端には、垂直方向にネジ穴が形成される。底板１０４は、側板１０３で作られた枠組みの内側にちょうど嵌合するように形成する。底板１０４を貫通して上方に延在する結合ネジ体（図示しない）を補完木片１１４のネジ穴に螺合させて底板１０４を側板１０３の下端部に取付ける。
補完木片１１４の垂直方向に長さは、支柱１０５の垂直方向の長さよりもやや長く、補完木片１１４の下端位置は支柱１０５の下端位置よりやや下方に位置する。ここで、支柱１０５下端部のネジ体１１１を締付けると、支柱１０５は補完木片１１４に周縁が支持されている響板１０２と底板１０４を張設して内部応力を付与することになる。
そこで、さらにネジ体１０８，１１１を増し締めすると、オルゴール機構部分Ｒ、響板１０２、側板１０３、底板１０４および支柱１０５は一体化して互いに堅く結合し、響きのよい音を得るのに非常に有利な状態となり、コンパクトながら共鳴箱となる筐体１０１によって、低音が十分に響くようになる。
次に本発明に係わるオルゴールの機能について説明する。オルゴールの機構部分Ｒの弾奏によりベースフレーム１０７が振動すると、その振動はスペーサ１０６を介して響板１０２に伝達されるが、このときベースフレーム１０７と響板１０２は、スペーサ１０６の箇所でしか接触していないため、響板１０２がベースフレーム１０７の振動は互いに干渉することはない。さらに響板１０２の振動は、補完木片１１４および支柱１０５を介して確実に底板１０４まで伝達される。
また、底板１０４の振動は、脚部１１０を介して載置台（図示しない）に伝達されるが、脚部１１０により載置台とのスペースが確保されているため、底板１０４の振動は空気振動となってこのスペースから外部に伝播される。その上、脚部１１０は載置台との接触面積を小さくして接触応力を大きくすることで、一層確実に振動を効率よく伝達することができる。
図２はディスク型オルゴールの機構部分Ｄを載置した第二実施例のオルゴール２００で、図２（ａ）は平面図、図２（ｂ）は（ａ）のＢ−Ｂ線に沿って示した側面図、図２（ｃ）は図２（ａ）のＣ−Ｃ線に沿って示した側面図である。図中、第一実施例と共通する部材には下位二桁に同一の符号を使用し、符号の最上位桁に“２”を使用して、第一実施例と区別した。第二実施例では、固定箇所２０９が四か所あるベースフレーム２０７の実施例が図示される。すなわち、固定箇所の数に応じて支柱２０５および脚部２１０の個数が“４”となっている以外は、第一実施例の構成と同様であるので説明は省略する。
図３はディスク型オルゴールの機構部分Ｄを載置した第三実施例のオルゴール３００で、図３（ａ）は平面図、図３（ｂ）は（ａ）のＢ−Ｂ線に沿って示した側面図、図３（ｃ）は図３（ａ）のＣ−Ｃ線に沿って示した側面図である。図中、第一実施例と共通する部材には下位二桁に同一の符号を使用し、符号の最上位桁に“３”を使用して、他の実施例と区別した。第三実施例では、固定箇所３０９が四か所あるベースフレーム３０７の実施例が図示される。しかしながら、支柱３０５は、一か所の支柱３１５をＴ字形にすることによって、ベースフレーム３０７の固定箇所が四か所でも、二か所をＴ字形の横桁で受けることによって、実質的には支柱は三本構成に集約され、従って、脚部３１０の配設箇所も三か所となっている。それ以外の構成は、第一実施例と同様であるので説明は省略する。
図４はディスク型オルゴールの機構部分Ｄを載置した第四実施例のオルゴール４００で、図４（ａ）は平面図、図４（ｂ）は（ａ）のＢ−Ｂ線に沿って示した側面図、図４（ｃ）は図４（ａ）のＣ−Ｃ線に沿って示した側面図である。図中、第一実施例と共通する部材には下位二桁に同一の符号を使用し、符号の最上位桁に“４”を使用して、他の実施例と区別した。第四実施例では、固定箇所４０９が三か所あるベースフレーム４０７の実施例が図示される。しかしながら、三本の支柱４０５のうち、二本の支柱の上下を二本の横桁で連結して四角の枠状支柱４１５とし、脚部４１０は三個で構成した変形例である。それ以外の構成は第一実施例と同様であるので説明を省略する。
なお本発明において、筐体の側板と支持板の高さは、該支持板が響板と底板との間で圧縮力を受けるように設定するのが好ましい。又、筐体は、筐体の上端部に回転自在に取り付けられた観音開きの蓋を更に含み、該蓋は、閉じている時は響板及び発音機構を覆い、開いた時は略々全体が発音機構の下方に位置するのが好ましい。
図５及び図６は、本発明の第五実施例を示す。同図において、オルゴール１０は、発音機構１２と、発音機構１２を搭載し且つ収納する、蓋１４付きの筐体１６とを備える。発音機構１２は、オルゴールディスク１８（図７の破線参照）を着脱自在に装着でき、ディスク１８が回転するときにディスクの下面に設けられた複数の突起（不図示）と係合して音を発する櫛状部材（不図示）を有する。櫛状部材の複数の櫛歯は夫々長さが異なり、ディスクの突起に弾かれることにより異なる音階の音を出す。ディスク１８の回転は、ゼンマイや電気モータ（不図示）等の力を受けて行われる。
図７に詳細に示すように、筐体１６は、上方の水平な響板２０と、四方を取り囲む４枚の側板２２と、下方の底板２４とから主に成る。蓋１４は、対向する一対の側板２２の上端部にそれぞれ蝶番２６によって回転自在に取り付けられた一対の扉１４ａ，１４ｂから構成される。これらの扉１４ａ，１４ｂは、いわゆる観音開きの構造になっており、図５に示すように閉じた時には、響板２０及びその上面の中央部に搭載された発音機構１２を覆い隠し、図６に示すように、図５の位置から１８０度回転して開いた時には、略々全体が発音機構１２の下方に位置づけられる。したがって、全開した状態の蓋１４は、音響学的にも物理的にも邪魔にはならない。すなわち、発音機構１２から発せられる音は、全開した蓋１４の扉１４ａ，１４ｂに妨げられることなく横方向に広がることができ、無用な反射も起こらない。また、この構成は、筐体１６の横寸法よりも大きな径のディスクを発音機構１２に搭載することを可能にする。よって、筐体１６の横方向寸法をディスクの径より小さくして筐体１６を従来のそれよりもコンパクトなものにすることができる（図７参照）。観音開きの扉１４ａ，１４ｂは、左右に開いたときに筐体１６の重量バランスを崩さないので、片開きの扉に比べて有利である。蓋を開くときに必要な空間が小さくてすむ、という点も又、片開きの扉に対して有利である。
筐体１６を構成する各部材は、楽器に使用されるような無垢の銘木を用いて作られることが好ましい。良い音を出すためである。また、塗料には、バイオリンなどの楽器に使用されるセラニックス、特に、よく精製された食用セラニックスを用いることが好ましい。木材そのものの色を出し、美しさを際立たせることができるからである。
以上、本発明に係わるオルゴールの実施例について説明したが、本発明は図示の実施例に限定されるものではなく、その形状や構成等について、本発明の必須の構成要件から逸脱しない範囲で、細部に関する多種多様な変更や部品の再構成等の改変をなし得ることが予期される。
産業上の利用可能性
以上の説明で明らかなように、本発明に係わるオルゴールによれば、支柱と結合部材により、響板と底板が密着固定されているため、オルゴールの振動が響板で増幅されて、響板あるいは底板の面積が狭くても中低音域の音量拡大が可能となる。
さらに、脚部を介して載置台にも振動が確実に伝達され、載置台を響体として協働機能させることができるため、さらに音量拡大効果を得ることができる。しかも、オルゴール機構部分のベースフレームと響板および底板と載置台がそれぞれ一定の隙間をもって配置されるため、互いにその振動を阻害することなく、振動の伝達効率を高めることが可能となる。
【図面の簡単な説明】
第１図は、本発明に係わるオルゴールの第一実施例で、（ａ）は平面図、（ｂ）は（ａ）のＢ−Ｂ線に沿って示した側面図、（ｃ）は（ａ）のＣ−Ｃ線に沿って示した側面図であり、第２図は、本発明に係わるオルゴールの第二実施例で、（ａ）は平面図、（ｂ）は（ａ）のＢ−Ｂ線に沿って示した側面図、（ｃ）は（ａ）のＣ−Ｃ線に沿って示した側面図であり、第３図は、本発明に係わるオルゴールの第三実施例で、（ａ）は平面図、（ｂ）は（ａ）のＢ−Ｂ線に沿って示した側面図、（ｃ）は（ａ）のＣ−Ｃ線に沿って示した側面図であり、第４図は、本発明に係わるオルゴールの第四実施例で、（ａ）は平面図、（ｂ）は（ａ）のＢ−Ｂ線に沿って示した側面図、（ｃ）は（ａ）のＣ−Ｃ線に沿って示した側面図であり、第５図は、本発明の第五実施例の斜視図であり、第６図は、第５図に示すオルゴールの蓋を開けた状態を示す斜視図であり、第７図は、第６図のＩＩＩ−ＩＩＩ線断面図である。
【図１】
2002058048.tif 000003
【図２】
2002058048.tif 000004
【図３】
2002058048.tif 000005
【図４】
2002058048.tif 000006
【図５】
2002058048.tif 000007
【図６】
2002058048.tif 000008
【図７】
2002058048.tif 000009
【国際調査報告】
2002058048.tif 000010
2002058048.tif 000011
2002058048.tif 000012